(57)【要約】【課題】Intra-band contiguous CAのＣＣのパラメータの設定を容易にして、Intra-band contiguous CAの試験を容易に行なうことができる移動端末試験装置を提供すること。【解決手段】Intra-band contiguous CAの周波数情報を設定させるとき、Primary Cellの周波数情報と、Secondary Cellの周波数帯域幅の情報と、Primary Cell及びSecondary Cellの周波数上の位置関係とを設定させ、設定された情報に基づいてSecondary Cellの周波数情報を計算してSecondary Cellの周波数情報として設定する制御部１４を備える。【選択図】図１
2018186382.tif 000002
【特許請求の範囲】
【請求項１】
移動体通信の基地局を擬似して移動体通信端末（２）を試験する移動端末試験装置（１）であって、
Intra-band contiguous CAの試験の設定において、Primary Cellの周波数情報と、Secondary Cellの周波数帯域幅の情報と、前記Primary Cell及び前記Secondary Cellの周波数上の位置関係とを設定させ、該設定された情報に基づいて前記Secondary Cellの周波数情報を計算して該Secondary Cellの周波数情報として設定する制御部（１４）を備える移動端末試験装置。
【請求項２】
前記制御部は、前記Primary Cellの周波数情報、前記Secondary Cellの周波数帯域幅の情報、前記Primary Cell及び前記Secondary Cellの周波数上の位置関係、の少なくとも１つが変更されたとき、該変更された情報に基づいて前記Secondary Cellの周波数情報を再計算する請求項１に記載の移動端末試験装置。
【請求項３】
前記制御部は、周波数値を表した数直線上に周波数帯域幅に対応した大きさの図形を表示させ、前記図形の位置により前記Primary Cell及び前記Secondary Cellの位置関係を設定させる請求項１または請求項２に記載の移動端末試験装置。
【請求項４】
移動体通信の基地局を擬似して移動体通信端末（２）を試験する移動端末試験装置（１）の周波数情報設定方法であって、
Intra-band contiguous CAの周波数情報を設定させるとき、
Primary Cellの周波数情報を設定させるステップと、
Secondary Cellの周波数帯域幅の情報を設定させるステップと、
前記Primary Cell及び前記Secondary Cellの周波数上の位置関係を設定させるステップと、
該設定された情報に基づいて前記Secondary Cellの周波数情報を計算して該Secondary Cellの周波数情報として設定するステップと、を備える周波数情報設定方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００５】
特許文献１には、ＰＣＣとＳＣＣのパラメータの入れ替えを容易にして、試験の簡易性を向上させ、試験時間を短縮させることが開示されている。
【先行技術文献】
【特許文献】
【０００６】
【特許文献１】特開２０１６−１１１５１０号公報
【発明の概要】
【発明が解決しようとする課題】
【０００７】
キャリアアグリゲーションは、各ＣＣの周波数の配置により、Intra-band contiguous CA（連続した周波数配置の複数のＣＣによるキャリアアグリゲーション）、Intra-band non-contiguous CA（同じ周波数バンドで非連続の周波数配置の複数のＣＣによるキャリアアグリゲーション）、Inter-band CA（異なる周波数バンドで非連続の周波数配置の複数のＣＣによるキャリアアグリゲーション）の３つに分類される。
【０００８】
Intra-band contiguous CAの場合、２つのＣＣの中心周波数間の周波数における距離がNominal channel spacingとして決められている。このため、試験装置で基地局を擬似してIntra-band contiguous CAの試験を行なう場合、Nominal channel spacingを満たすようにＣＣの設定をしなければならない。
【０００９】
Nominal channel spacingは、図５に示すように、２つのＣＣの周波数帯域の幅（図の「ＢＷ１」と「ＢＷ２」の欄）により異なり、２つのＣＣの中心周波数や周波数帯域の幅を変える度に再計算しなければならず、設定に時間がかかっていた。
【００１０】
そこで、本発明は、Intra-band contiguous CAのＣＣのパラメータの設定を容易にして、Intra-band contiguous CAの試験を容易に行なうことができる移動端末試験装置を提供することを目的としている。
【課題を解決するための手段】
【００１１】
本発明の移動端末試験装置は、移動体通信の基地局を擬似して移動体通信端末を試験する移動端末試験装置であって、Intra-band contiguous CAの試験の設定において、Primary Cellの周波数情報と、Secondary Cellの周波数帯域幅の情報と、前記Primary Cell及び前記Secondary Cellの周波数上の位置関係とを設定させ、該設定された情報に基づいて前記Secondary Cellの周波数情報を計算して該Secondary Cellの周波数情報として設定する制御部を備えるものである。
【００１２】
この構成により、設定されたPrimary Cellの周波数情報とSecondary Cellの周波数帯域幅の情報とCellの位置関係とに基づいてSecondary Cellの周波数情報が計算され設定される。このため、Nominal channel spacingを満たすようにSecondary Cellの周波数を計算する必要が無く、Intra-band contiguous CAの試験を容易に行なうことができる。
【００１３】
また、本発明の移動端末試験装置において、前記制御部は、前記Primary Cellの周波数情報、前記Secondary Cellの周波数帯域幅の情報、前記Primary Cell及び前記Secondary Cellの周波数上の位置関係、の少なくとも１つが変更されたとき、該変更された情報に基づいて前記Secondary Cellの周波数情報を再計算するものである。
【００１４】
この構成により、Primary Cellの周波数情報、Secondary Cellの周波数帯域幅の情報、Primary Cell及びSecondary Cellの周波数上の位置関係、の少なくとも１つが変更されるとSecondary Cellの周波数情報が再計算される。このため、設定を変更する度にNominal channel spacingを満たすようにSecondary Cellの周波数情報を再計算する必要が無く、Intra-band contiguous CAの試験を容易に行なうことができる。
【００１５】
また、本発明の移動端末試験装置において、前記制御部は、周波数値を表した数直線上に周波数帯域幅に対応した大きさの図形を表示させ、前記図形の位置により前記Primary Cell及び前記Secondary Cellの位置関係を設定させるものである。
【００１６】
この構成により、周波数値を表した数直線上に周波数帯域幅に対応した図形が表示され、この図形の位置によりCellの位置関係が設定される。このため、視覚的に各Cellの周波数帯域幅と周波数上の位置関係を把握することができ、Cellの位置関係を容易に設定させることができる。
【００１７】
また、本発明の移動端末試験装置の周波数情報設定方法は、移動体通信の基地局を擬似して移動体通信端末を試験する移動端末試験装置の周波数情報設定方法であって、Intra-band contiguous CAの周波数情報を設定させるとき、Primary Cellの周波数情報を設定させるステップと、Secondary Cellの周波数帯域幅の情報を設定させるステップと、前記Primary Cell及び前記Secondary Cellの周波数上の位置関係を設定させるステップと、該設定された情報に基づいて前記Secondary Cellの周波数情報を計算して該Secondary Cellの周波数情報として設定するステップと、を備えるものである。
【００１８】
この構成により、設定されたPrimary Cellの周波数情報とSecondary Cellの周波数帯域幅の情報とCellの位置関係とに基づいてSecondary Cellの周波数情報が計算され設定される。このため、Nominal channel spacingを満たすようにSecondary Cellの周波数を計算する必要が無く、Intra-band contiguous CAの試験を容易に行なうことができる。
【発明の効果】
【００１９】
本発明は、Intra-band contiguous CAの試験を容易に行なうことができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置のIntra-band contiguous CAのCellの周波数情報の設定画面の設定例を示す図である。
【図３】図３は、本発明の一実施形態に係る移動端末試験装置のIntra-band contiguous CAのCellの周波数情報の設定画面のSecondary Cellの周波数情報が計算され設定された例を示す図である。
【図４】図４は、本発明の一実施形態に係る移動端末試験装置の周波数設定処理の手順を説明するフローチャートである。
【図５】図５は、Intra-band contiguous CAの周波数帯域幅の組合せとNominal channel spacingの対応を示す表である。
【発明を実施するための形態】
【００２１】
以下、図面を参照して、本発明の実施形態に係る移動端末試験装置について詳細に説明する。
【００２２】
図１において、本発明の一実施形態に係る移動端末試験装置１は、擬似基地局として同軸ケーブル等を介して有線で移動体通信端末２と無線信号を送受信するようになっている。
【００２３】
移動端末試験装置１は、操作部１１と、表示部１２と、表示制御部１３と、制御部１４と、シナリオ生成部１５と、記憶部１６と、シナリオ処理部１７と、擬似基地局部１８−１と、擬似基地局部１８−２と、擬似基地局部１８−３と、結合器１９とを含んで構成されている。
【００２４】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００２５】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００２６】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８−１、１８−２、１８−３の状態や移動体通信端末２との通信の状態などの情報に基づいて表示制御部１３により表示部１２に試験中の状態などを表示させたりする。
【００２７】
シナリオ生成部１５は、制御部１４から送信されたシナリオ生成のための情報に基づいて、移動体通信端末２を試験するためのシナリオを生成する。このシナリオには、擬似基地局部１８−１、１８−２、１８−３の動作の設定や、移動体通信端末２との通信シーケンスが設定される。シナリオ生成部１５は、シナリオ生成のための情報に基づいて擬似基地局部１８−１、１８−２、１８−３から送信する送信情報を生成する送信情報生成部１５０を備えている。
【００２８】
送信情報生成部１５０は、シナリオ生成のための情報に基づいて擬似基地局部１８−１、１８−２、１８−３の報知情報や位置登録処理における送信情報などを生成する。送信情報生成部１５０は、例えば、個別に設定された擬似基地局部１８−１、１８−２、１８−３の擬似する基地局の動作の設定の情報に基づいて、報知情報を生成する。
【００２９】
記憶部１６は、ハードディスク装置やフラッシュメモリで構成され、シナリオ生成部１５で生成された各種のシナリオを記憶する。
【００３０】
シナリオ処理部１７は、制御部１４からの指示により、記憶部１６に記憶されているシナリオを読み出して、そのシナリオに基づいて擬似基地局部１８−１、１８−２、１８−３に、報知情報を送信させたり、移動体通信端末２との間で通信シーケンスを実行させたりする。
【００３１】
擬似基地局部１８−１、擬似基地局部１８−２、擬似基地局部１８−３は、シナリオ処理部１７の指示により、移動体通信端末２との間で無線信号を送受信する。なお、擬似基地局部の数は例示であり、３つに限定されるものではない。
【００３２】
結合器１９は、擬似基地局部１８−１、１８−２、１８−３の送信する無線信号を結合して移動体通信端末２に送信する。また、結合器１９は、移動体通信端末２から受信した信号を擬似基地局部１８−１、１８−２、１８−３それぞれに送信する。
【００３３】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３４】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３５】
このように、本実施の形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８−１、１８−２、１８−３は、通信モジュールによって構成される。
【００３６】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８−１、１８−２、１８−３で擬似する基地局の情報や実行させたいシーケンスなどを設定させる。
【００３７】
ユーザは、目的の試験に合わせて各種情報を基地局ごとに設定する。制御部１４は、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００３８】
制御部１４は、ユーザによる操作部１１の操作によりIntra-band contiguous CAのCellの周波数情報の設定が選択されると、例えば、図２に示すような設定画面を表示させて設定を行なわせる。
【００３９】
図２において、パラメータ設定部１０１は、ＣＣとしてのCellの周波数のパラメータを設定させるものである。「Duplex」には、デュプレックスモードを設定させ、本実施形態では、「FDD」（Frequency Division Duplex）及び「TDD」（Time Division Duplex）のいずれかから選択される。「Band」には、ＬＴＥのバンド番号を設定させる。「Ch(DL)」には、ダウンリンクのチャネル番号を設定させる。「Ch(UL)」には、アップリンクのチャネル番号を設定させる。「Freq(DL)」には、「Ch(DL)」に設定されたチャネル番号に対応した周波数が表示される。「Freq(UL)」には、「Ch(UL)」に設定されたチャネル番号に対応した周波数が表示される。「BW(DL)」には、ダウンリンクの周波数帯域幅（BW:Bandwidth）を設定させる。「BW(UL)」には、アップリンクの周波数帯域幅を設定させる。「P/S」には、ＰＣＣであるPrimary CellかＳＣＣであるSecondary Cellかが設定される。「P」は、Primary Cellを、「S」は、Secondary Cellを表している。
【００４０】
パラメータ設定部１０１の一番左側の「BTS1」、「BTS2」、「BTS3」は、各Cellの識別名であり、擬似を行なう擬似基地局部１８−１、１８−２、１８−３に対応している。
【００４１】
位置関係設定部１０２は、パラメータ設定部１０１に設定した各Cellの周波数上の位置関係を設定させる。位置関係設定部１０２には、例えば、周波数値を表す数直線上に、周波数帯域幅に対応した幅の長方形が設定されたCell数分表示される。
【００４２】
制御部１４は、例えば、位置関係設定部１０２の「BTS1」、「BTS2」、「BTS3」と表示された長方形を操作部１１のマウス等でドラッグアンドドロップさせて各Cellの位置関係（並び順）を変更させる。「BTS1」、「BTS2」、「BTS3」は、パラメータ設定部１０１の「BTS1」、「BTS2」、「BTS3」に対応している。
【００４３】
プライマリ表示部１０３は、Primary Cellとして設定されているCellの識別名を表示する。計算開始ボタン１０４は、ユーザの操作により、制御部１４が、パラメータ設定部１０１や位置関係設定部１０２に設定された内容で、Secondary Cellのパラメータの計算を行なうものである。
【００４４】
制御部１４は、パラメータ設定部１０１に、Primary Cellの「Duplex」、「Band」、「Ch(DL)」、「Ch(UL)」、「BW(DL)」、「BW(UL)」を設定させる。制御部１４は、Secondary Cellについては「BW(DL)」、「BW(UL)」のみを設定させる。
【００４５】
制御部１４は、位置関係設定部１０２に、パラメータ設定部１０１に設定された周波数帯域幅に対応した大きさの長方形を、初期設定値として、例えば、左側から「BTS1」、「BTS2」、「BTS3」の順に表示させる。制御部１４は、位置関係設定部１０２に表示させた初期設定値から変更させることで、各Cellの周波数上の位置関係を設定させる。図２では、左側から「BTS2」、「BTS1」、「BTS3」の順に変更されている状態を示している。
【００４６】
制御部１４は、ユーザの操作により計算開始ボタン１０４が、例えば、操作部１１のマウス等でクリックされると、Secondary Cellの「Ch(DL)」、「Ch(UL)」、「Freq(DL)」、「Freq(UL)」などを計算し、図３に示すように表示させる。
【００４７】
制御部１４は、Primary Cellの周波数帯域幅と、Secondary Cellの周波数帯域幅とに基づいて、Nominal channel spacingを満たすように、かつ、位置関係設定部１０２に設定された位置関係を満たすように、Secondary Cellの中心周波数を求める。
【００４８】
制御部１４は、パラメータ設定部１０１や位置関係設定部１０２に設定された内容が変更され、計算開始ボタン１０４が、例えば、操作部１１のマウス等でクリックされると、Secondary Cellの「Ch(DL)」、「Ch(UL)」、「Freq(DL)」、「Freq(UL)」などを再計算して表示させる。
【００４９】
制御部１４は、ＯＫボタン１０５が、例えば、操作部１１のマウス等でクリックされると、パラメータ設定部１０１に設定され計算された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００５０】
このようなシナリオの作成をした後、ユーザは、移動端末試験装置１と移動体通信端末２とを有線で接続し、使用する擬似基地局のシナリオを選択する。
【００５１】
制御部１４は、選択された擬似基地局のシナリオの識別情報をシナリオ処理部１７に通知し、シナリオ処理部１７にシナリオを実行させる。
【００５２】
シナリオ処理部１７は、通知された識別情報に関連付けられたシナリオを記憶部１６から読み出し、読み出したシナリオに基づいて擬似基地局部１８−１、１８−２、１８−３にデュプレックスモードや中心周波数、周波数帯域幅、報知情報の内容、位置登録処理における送信情報などを通知し、擬似基地局としての動作を開始させる。
【００５３】
また、シナリオ処理部１７は、シナリオの実行を開始すると、シナリオを実行している擬似基地局部１８−１、１８−２、１８−３の状態を制御部１４に通知するようになっている。
【００５４】
制御部１４は、シナリオ処理部１７から擬似基地局部１８−１、１８−２、１８−３の状態の情報を受信すると、表示制御部１３により表示部１２に擬似基地局部１８−１、１８−２、１８−３の状態や移動体通信端末２の接続状態などを表示させる。
【００５５】
以上のように構成された本実施形態に係る移動端末試験装置１よる周波数設定処理について、図４を参照して説明する。なお、以下に説明する周波数設定処理は、ユーザによる操作部１１の操作によりIntra-band contiguous CAのCellの周波数情報の設定が選択されると開始される。
【００５６】
ステップＳ１において、制御部１４は、図２に示したようなCell情報の設定画面を表示部１２に表示させる。
【００５７】
ステップＳ２において、制御部１４は、パラメータ設定部１０１にPrimary Cellの周波数情報を設定させる。
【００５８】
ステップＳ３において、制御部１４は、パラメータ設定部１０１にSecondary CellのBWの情報を、位置関係設定部１０２にCellの位置関係を設定させる。
【００５９】
ステップＳ４において、制御部１４は、計算開始ボタン１０４が操作されると、Primary Cellの周波数情報を用いて、Secondary Cellの周波数情報を計算して設定し、図３に示したように表示部１２に表示させる。
【００６０】
ステップＳ５において、制御部１４は、ＯＫボタン１０５が操作されたか否かにより変更が無いか否かを判定する。ＯＫボタン１０５が操作され変更が無いと判定した場合、ステップＳ６において、制御部１４は、設定された情報をシナリオ生成部１５に送信してシナリオを生成させ、処理を終了する。
【００６１】
ステップＳ５において、ＯＫボタン１０５が操作されないままパラメータ設定部１０１や位置関係設定部１０２の設定が変更され変更が有ると判定した場合、制御部１４は、ステップＳ３の処理に戻って処理を繰り返す。
【００６２】
このように、上述の実施形態では、Intra-band contiguous CAの試験の設定において、パラメータ設定部１０１にPrimary Cellの周波数情報とSecondary Cellの周波数帯域幅の情報を設定させ、位置関係設定部１０２にCellの位置関係を設定させ、設定された情報に基づいてSecondary Cellの周波数情報を計算してパラメータ設定部１０１に表示させる。
【００６３】
これにより、Primary Cellの周波数情報とSecondary Cellの周波数帯域幅の情報とCellの位置関係を設定するだけで、Secondary Cellの周波数情報が計算される。このため、Nominal channel spacingを満たすようにSecondary Cellの周波数を計算する必要が無く、Intra-band contiguous CAの試験を容易に行なうことができる。
【００６４】
また、パラメータ設定部１０１や位置関係設定部１０２の設定が変更されても、計算開始ボタン１０４が操作されるとSecondary Cellの周波数情報を再計算する。
【００６５】
これにより、設定を変更する度にNominal channel spacingを満たすようにSecondary Cellの周波数を計算する必要が無く、Intra-band contiguous CAの試験を容易に行なうことができる。
【００６６】
また、位置関係設定部１０２に、周波数を表す直線上に周波数帯域幅に対応した幅の長方形を表示させ、長方形の位置を変えることで、Cellの位置関係を設定させる。
【００６７】
これにより、視覚的に各Cellの周波数帯域幅と周波数上の位置関係を把握することができ、Cellの位置関係を容易に設定させることができる。
【００６８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６９】
１  移動端末試験装置
２  移動体通信端末
１２  表示部
１４  制御部
１５  シナリオ生成部
１８−１、１８−２、１８−３  擬似基地局部
【図１】
2018186382.tif 000003
【図２】
2018186382.tif 000004
【図３】
2018186382.tif 000005
【図４】
2018186382.tif 000006
【図５】
2018186382.tif 000007